(57)【要約】包装ユニット（１０）が、シリンジ（１２）を収容するために提供され、該シリンジ（１２）は、バレル（１４）を有し、該バレル（１４）は、一方の端部においてプランジャ（１６）を摺動可能に受容し、かつ、対向する針端部（１８）を有し、該包装ユニットは、シリンジを受容するためのチャンバ（２４）を画定する筐体（２２）を含む。筐体（２２）内に含まれるものは、シリンジプランジャ（１６）を受容するための第１の空洞（２６）、シリンジバレル（１４）を受容するための第２の空洞（３４）、およびシリンジ（１２）の針端部（１８）を受容するための第３の空洞（４４）である。第２の空洞（３４）は、第１の空洞（２６）および第３の空洞（４４）と流体連通する。
2018531732.tif 000002
【特許請求の範囲】
【請求項１】
シリンジ（１２）を収容するための包装ユニット（１０）であって、前記シリンジ（１２）は、バレル（１４）を有し、前記バレル（１４）は、一方の端部においてプランジャ（１６）を摺動可能に受容するように構成され、かつ、対向する針端部（１８）を有し、前記ユニットは、
前記シリンジを受容するように構成されるチャンバ（２４）を画定する筐体（２２）であって、
前記シリンジプランジャを受容するように構成された第１の空洞（２６）であって、前記第１の空洞（２６）は、前記プランジャの中間部分（３２）に係合することなく、前記プランジャのヘッド部分（３０）に直接係合するための側壁（２８）の第１のセットを有する、第１の空洞（２６）と、
前記シリンジバレルを受容するように構成された第２の空洞（３４）であって、前記第２の空洞（３４）は、前記バレルのフランジ部分（４２）の上面（４０）に直接係合するための上壁（３６）のセットを有する、第２の空洞（３４）と、
前記シリンジの針端部を受容するように構成された第３の空洞（４４）であって、前記第３の空洞（４４）は、前記針端部を封入するように構成されるカバー（４８）に直接係合するための側壁（４６）の第２のセットを有する、第３の空洞（４４）と
を含む、筐体（２２）
を備え、
前記第２の空洞は、一方の端部において前記第１の空洞と流体連通し、かつ、対向する端部において前記第３の空洞と流体連通する、包装ユニット（１０）。
【請求項２】
前記第１の空洞（２６）は、前記シリンジバレル（１４）に対する前記シリンジプランジャ（１６）に関する複数の変位位置を収容するように構成される、請求項１に記載の包装ユニット（１０）。
【請求項３】
前記第１の空洞（２６）内の前記側壁（２８）の第１のセットの高さは、前記筐体（２２）のチャンバ（２４）のものよりも短い、上記の請求項のいずれかに記載の包装ユニット（１０）。
【請求項４】
前記第１の空洞（２６）内の前記側壁（２８）の第１のセットの高さは、前記第３の空洞（４４）内の前記側壁（４６）の第２のセットのものよりも短い、上記の請求項のいずれかに記載の包装ユニット（１０）。
【請求項５】
各第１の足部が前記第１の側壁（２８）のうちの対応するものに隣接して配置される、第１の足部（５４）の対と、各第３の足部が前記第２の側壁（４６）のうちの対応するものに隣接して配置される、第３の足部（５８）の対とをさらに含む、上記の請求項のいずれかに記載の包装ユニット。
【請求項６】
前記第２の空洞（３４）の容積は、前記第１の空洞（２６）および前記第３の空洞（４４）のそれぞれのものよりも大きい、上記の請求項のいずれかに記載の包装ユニット（１０）。
【請求項７】
前記第２の空洞（３４）の軸方向長さは、前記筐体（２２）の縦方向軸に対して前記第１の空洞（２６）および第３の空洞（４４）のものよりも長い、上記の請求項のいずれかに記載の包装ユニット（１０）。
【請求項８】
前記筐体（２２）の縦方向軸を横断する前記第２の空洞（３４）の中間長さは、前記第１の空洞（２６）および第３の空洞（４４）と比較して最も長い、上記の請求項のいずれかに記載の包装ユニット（１０）。
【請求項９】
前記第２の空洞（３４）および第３の空洞（４４）は、前記筐体（２２）の縦方向軸に対して少なくとも２つの異なる幅を有する、上記の請求項のいずれかに記載の包装ユニット（１０）。
【請求項１０】
前記第２の空洞（３４）は、前記筐体（２２）からの除去のための前記シリンジ（１２）の適切な把持方法をユーザに通知するために設計される、グラフィカルインジケータ（６０）を有する、上記の請求項のいずれかに記載の包装ユニット（１０）。
【請求項１１】
前記第２の空洞（３４）は、前記シリンジ（１２）の外面に直接係合し、前記筐体（２２）と前記シリンジとの間に摩擦嵌合を提供するための少なくとも１つの突出部（６２）を有する、上記の請求項のいずれかに記載の包装ユニット（１０）。
【請求項１２】
前記少なくとも１つの突出部（６２）は、半球形形状を有し、前記突出部は、前記筐体の側壁（６４）から前記第２の空洞（３４）の中に突出する、請求項１１に記載の包装ユニット（１０）。
【請求項１３】
前記第３の空洞（４４）の幅は、前記筐体（２２）と前記シリンジ（１２）との間に摩擦嵌合を提供するために、前記針端部（１８）のカバー（４８）のものよりもわずかに狭い、上記の請求項のいずれかに記載の包装ユニット（１０）。
【請求項１４】
前記第３の空洞（４４）は、前記シリンジ（１２）の針端部（１８）および前記針端部のカバー（４８）を受容するように構成される、上記の請求項のいずれかに記載の包装ユニット（１０）。
【請求項１５】
前記筐体（２２）の底面（６６）は、前記シリンジ（１２）の輪郭に追従するように構成される外形を有する、上記の請求項のいずれかに記載の包装ユニット（１０）。
【請求項１６】
前記筐体（２２）の底面（６６）は、前記プランジャ（３０）のヘッド部分および前記バレル（１４）のフランジ部分（４２）の輪郭に追従する第１の外形を有する、請求項１５に記載の包装ユニット（１０）。
【請求項１７】
前記筐体（２２）の底面（６６）は、前記シリンジ（１２）の針端部（１８）および前記針端部のカバー（４８）の輪郭に追従する第２の外形を有する、請求項１５に記載の包装ユニット（１０）。
【請求項１８】
前記シリンジが前記チャンバ（２４）の中に挿入されると、把持空間（６８）が、前記シリンジ（１２）のバレル（１４）の下方の前記第２の空洞（３４）内に提供される、上記の請求項のいずれかに記載の包装ユニット（１０）。
【請求項１９】
シリンジ（１２）を収容するための包装ユニット（１０）であって、前記シリンジ（１２）は、バレル（１４）を有し、前記バレル（１４）は、一方の端部においてプランジャ（１６）を摺動可能に受容するように構成され、かつ、対向する針端部（１８）を有し、前記ユニットは、
前記シリンジを受容するように構成されるチャンバ（２４）を画定する筐体（２２）であって、
前記シリンジプランジャを受容するように構成された第１の空洞（２６）であって、前記第１の空洞（２６）は、前記プランジャの中間部分（３２）に係合することなく、前記プランジャのヘッド部分（３０）に直接係合するための側壁（２８）の第１のセットを有する、第１の空洞（２６）と、
前記シリンジバレルを受容するように構成された第２の空洞（３４）であって、前記第２の空洞（３４）は、前記バレルのフランジ部分（４２）の上面（４０）に直接係合するための上壁（３６）のセットを有する、第２の空洞（３４）と、
前記シリンジの針端部を受容するように構成された第３の空洞（４４）であって、前記第３の空洞（４４）は、前記針端部を封入するように構成されるカバー（４８）に直接係合するための側壁（４６）の第２のセットを有する、第３の空洞（４４）と
を含む、筐体（２２）
を備え、
前記第２の空洞は、一方の端部において前記第１の空洞と流体連通し、かつ、対向する端部において前記第３の空洞と流体連通し、
前記筐体の底面（６６）は、前記プランジャのヘッド部分および前記バレルのフランジ部分の輪郭に追従する第１の外形と、前記シリンジの針端部および前記針端部のカバーの輪郭に追従する第２の外形とを有する、包装ユニット（１０）。
【請求項２０】
シリンジ（１２）を収容するための包装ユニット（１０）であって、前記シリンジ（１２）は、バレル（１４）を有し、前記バレル（１４）は、一方の端部においてプランジャ（１６）を摺動可能に受容するように構成され、かつ、対向する針端部（１８）を有し、前記ユニットは、
前記シリンジを受容するように構成されるチャンバ（２４）を画定する筐体（２２）であって、
前記シリンジプランジャを受容するように構成された第１の空洞（２６）であって、前記第１の空洞（２６）は、前記プランジャのヘッド部分（３０）に直接係合するための側壁（２８）の第１のセットを有する、第１の空洞（２６）と、
前記シリンジバレルを受容するように構成された第２の空洞（３４）であって、前記第２の空洞（３４）は、前記バレルのフランジ部分（４２）の上面（４０）に直接係合するための上壁（３６）のセットを有する、第２の空洞（３４）と、
前記シリンジの針端部を受容するように構成された第３の空洞（４４）であって、前記第３の空洞（４４）は、前記針端部を封入するように構成されるカバー（４８）に直接係合するための側壁（４６）の第２のセットを有する、第３の空洞（４４）と
を含む、筐体（２２）
を備え、
前記第２の空洞は、一方の端部において前記第１の空洞と流体連通し、かつ、対向する端部において前記第３の空洞と流体連通し、したがって、前記第２の空洞の容積は、前記第１の空洞および前記第３の空洞のそれぞれのものよりも大きく、
少なくとも１つの側突出部（６２）が、前記シリンジの外面に直接係合し、前記筐体と前記シリンジとの間に摩擦嵌合を提供するために、前記第２の空洞内に提供される、包装ユニット（１０）。
【発明の詳細な説明】
【技術分野】
【０００１】
本開示は、概して、医療デバイスを保護するために使用される包装ユニットに関し、より具体的には、出荷および取扱中にシリンジを保護するように構成される包装トレイに関する。
【背景技術】
【０００２】
医薬製品に関して、医療デバイスがトレイ内に不適切に固着されているとき、包装トレイ内で輸送される医療デバイスは、出荷および取扱中に容易に損傷するため、包装は、全体的製品設計の重要な側面である。典型的には、医療デバイスは、便宜上、医薬物質を用いて事前充填される。しかしながら、特定の医薬物質および意図される臨床指示に応じて、プランジャは、同一のデバイスまたはシリンジが包装内に位置するにもかかわらず、異なる位置に位置し得る。したがって、単一包装内で種々のプランジャ位置を収容し、外的衝撃からのプランジャの損傷または望ましくない移動に対して、シリンジ等の脆弱なデバイスを保護することが、重要である。
【０００３】
一方、ある状況では、ユーザは、医薬物質が速やかに投与される予定であるとき、事前充填されたシリンジへの即時のアクセスを有する必要があり得る。従来の包装ユニットでは、包装トレイからシリンジを除去するとき、シリンジが複雑な包装内に固着されている場合、ユーザは、困難を被り、したがって、シリンジをタイムリーに使用することが不可能であり得る。本場合では、シリンジは、望ましくない移動から部分的に保護され得るが、必要なときにトレイからシリンジを迅速に除去することは、課題でありかつ困難である。さらに、ユーザによる急ぎの取扱中、複雑な包装からシリンジを除去することは、シリンジの構造的損傷を引き起こし、最終的に、医薬物質の放出を引き起こし得る。いくつかの場合では、包装ユニットからプランジャヘッドを早まって引き抜くことは、プランジャとシリンジバレルとの間のシールを破壊し、バレルからの医薬流体もしくは物質の漏出を引き起こす、または医薬流体の無菌状態を損なう。
【０００４】
したがって、より単純かつより信頼性のある様式で医療デバイスのための強化された貯蔵配列を提供する、改良された包装ユニットを開発する必要性がある。
【発明の概要】
【課題を解決するための手段】
【０００５】
本開示は、出荷および取扱中にシリンジ等の医療デバイスを保護ならびに収容するための成型包装トレイまたはユニットを対象とする。本包装ユニットの重要な側面は、シリンジのプランジャヘッドが、種々の体積における種々の医薬化合物を送達するために使用されている同一のシリンジを収容するための包装ユニットのチャンバの上側空洞エリア内で移動可能であることである。言い換えると、空洞は、シリンジバレルに対するシリンジプランジャに関する複数の変位位置を収容するように構成される。しかしながら、プランジャヘッドはまた、ユーザがプランジャヘッドを把持することを阻止するように定寸される本トレイの側壁によって堅く囲繞される。典型的には、上側空洞内の側壁の高さは、チャンバ筐体のものよりも短く、加えて、シリンジの針端部上の側壁の別個のセットよりも短いが、それにもかかわらず、プランジャヘッドは、空洞エリア内に確実に保持され、したがって、プランジャヘッドは、シリンジが包装ユニットから除去されるまで、ユーザにアクセス可能ではない。本固着はさらに、本ユニット筐体によって遂行され、一実施形態では、筐体の底面は、プランジャのヘッド部分およびシリンジのバレルのフランジ部分の輪郭に追従する外形を有する。本構成では、ユーザは、プランジャとシリンジバレルとの間のシールの望ましくない破損を回避するために、最初にシリンジバレルを保持することによって、シリンジを除去せざるを得ない。除去中にトレイを安定させるために、２つの足部の対が、好ましくは、提供され、２つの足部は、上側空洞側壁のそれぞれに隣接し、２つの足部は、下側（針端部）空洞側壁のそれぞれに隣接する。
【０００６】
本包装ユニットの別の重要な側面は、中間空洞が、随意に、シリンジの外面に直接係合し、筐体とシリンジとの間に摩擦嵌合を提供するための少なくとも１つの突出部を有することである。理想的には、突出部は、半球形形状を有し、筐体の側壁から中間空洞の中に突出する。一実施形態では、２つの把持半球形が、シリンジバレルを保持するために、側壁から主要チャネルまたはチャンバの中に突出する。これらの突出部は、シリンジの望ましくない移動を防止するために、トレイとシリンジとの間に摩擦嵌合を提供する。また、本トレイは、針プロテクタ（またはカバー）およびバレルの隣接する部分を含む、シリンジの針端部における確実な嵌合を提供するように構築および配列される。本確実な嵌合を遂行するために、下側または針端部空洞が、提供され、シリンジの針端部および針端部のカバーを受容するように構成される。本固着はさらに、好ましくは、針端部のカバーのものよりもわずかに狭い幅を有し、したがって、筐体とシリンジとの間に摩擦嵌合を提供する、針端部空洞を介して強化される。本設計は、ユーザが針プロテクタを把持することを介して包装ユニットからシリンジを除去することを試みることを阻止する。さらに、本トレイの中間空洞エリアは、トレイからシリンジを適切に引き抜くために、本場所においてシリンジバレルを把持するようにユーザを促すために十分に大きく、広い。相対的観点から、中間空洞の容積は、好ましくは、上側または下側空洞のいずれのものよりも大きく、中間空洞は、好ましくは、（筐体の縦方向軸に対して）上側および下側空洞のものよりも長い軸方向長さを有し、（縦方向軸を横断する）中間空洞の中間長さは、好ましくは、上側および下側空洞と比較して最も長い。当然ながら、中間空洞および下側空洞は、縦方向軸に対して異なる幅を有する。
【０００７】
また、包装ユニットの底面または床部は、好ましくは、シリンジの輪郭に追従するように構成される。本構成では、第１の底面外形は、針プロテクタおよびバレルの下側部分が揺架位置においてトレイによって支持されるように提供され、第２の底面外形は、シリンジがチャンバの中に挿入されると、中間「把持」空洞エリアに対応する、余剰把持空間がシリンジバレルの下方に形成されるように提供される。本「把持」空洞エリアは、ユーザが、構造的損傷を引き起こすことなく、包装ユニットからシリンジを安全かつ迅速に除去することを可能にする。本場所において把持するようにユーザをさらに誘導するために、中間空洞は、筐体からの除去のためのシリンジの適切な把持方法をユーザに通知するために設計される、グラフィカルインジケータを有する。
【０００８】
一実施形態では、包装ユニットは、シリンジを収容するために提供され、該シリンジは、バレルを有し、該バレルは、一方の端部においてプランジャを摺動可能に受容するように構成され、かつ、対向する針端部を有し、該包装ユニットは、シリンジを受容するように構成されるチャンバを画定する筐体を含む。筐体内に含まれるものは、シリンジプランジャを受容するように構成され、プランジャの中間部分に係合することなく、プランジャのヘッド部分に直接係合するための側壁の第１のセットを有する第１の空洞、シリンジバレルを受容するように構成され、バレルのフランジ部分の上面に直接係合するための上壁のセットを有する第２の空洞、およびシリンジの針端部を受容するように構成され、針端部を封入するように構成されるカバーに直接係合するための側壁の第２のセットを有する第３の空洞である。第２の空洞は、一方の端部において第１の空洞と流体連通し、かつ、対向する端部において第３の空洞と流体連通する。
【０００９】
別の実施形態では、包装ユニットは、シリンジを収容するために提供され、該シリンジは、バレルを有し、該バレルは、一方の端部においてプランジャを摺動可能に受容するように構成され、かつ、対向する針端部を有し、該包装ユニットは、シリンジを受容するように構成されるチャンバを画定する筐体を含む。筐体内に含まれるものは、シリンジプランジャを受容するように構成され、プランジャの中間部分に係合することなく、プランジャのヘッド部分に直接係合するための側壁の第１のセットを有する第１の空洞、シリンジバレルを受容するように構成され、バレルのフランジ部分の上面に直接係合するための上壁のセットを有する第２の空洞、およびシリンジの針端部を受容するように構成され、針端部を封入するように構成されるカバーに直接係合するための側壁の第２のセットを有する第３の空洞である。第２の空洞は、一方の端部において第１の空洞と流体連通し、かつ、対向する端部において第３の空洞と流体連通し、筐体の底面は、プランジャのヘッド部分およびバレルのフランジ部分の輪郭に追従する第１の外形と、シリンジの針端部および針端部のカバーの輪郭に追従する第２の外形とを有する。
【００１０】
また別の実施形態では、包装ユニットは、シリンジを収容するために提供され、該シリンジは、バレルを有し、該バレルは、一方の端部においてプランジャを摺動可能に受容するように構成され、かつ、対向する針端部を有し、該包装ユニットは、シリンジを受容するように構成されるチャンバを画定する筐体を含む。筐体内に含まれるものは、シリンジプランジャを受容するように構成され、プランジャのヘッド部分に直接係合するための側壁の第１のセットを有する第１の空洞、シリンジバレルを受容するように構成され、バレルのフランジ部分の上面に直接係合するための上壁のセットを有する第２の空洞、およびシリンジの針端部を受容するように構成され、針端部を封入するように構成されるカバーに直接係合するための側壁の第２のセットを有する第３の空洞である。第２の空洞は、一方の端部において第１の空洞と流体連通し、かつ、対向する端部において第３の空洞と流体連通し、したがって、第２の空洞の容積は、第１の空洞および第３の空洞のそれぞれのものよりも大きく、少なくとも１つの側突出部が、シリンジの外面に直接係合し、筐体とシリンジとの間に摩擦嵌合を提供するために、第２の空洞内に提供される。
【００１１】
本開示の前述ならびに他の側面および特徴は、付随の図面と併せて考慮されたときに以下の詳細な説明から当業者に明白となるであろう。
【図面の簡単な説明】
【００１２】
【図１】図１は、本包装ユニットの筐体内に保持される例示的シリンジを特徴とする、本包装ユニットの斜視図である。
【図２】図２は、図１の包装ユニットの平面図である。
【図３】図３は、図２の線３−３に沿って観察され、概して示される方向における、包装ユニットの断面である。
【図４】図４は、図２の線４−４に沿って観察され、概して示される方向における、包装ユニットの断面である。
【図５】図５は、図２の線５−５に沿って観察され、概して示される方向における、包装ユニットの断面である。
【図６】図６は、図２の線６−６に沿って観察され、概して示される方向における、包装ユニットの断面である。
【図７】図７は、図１の包装ユニットの円部分Ａの部分的拡大図である。
【発明を実施するための形態】
【００１３】
ここで図１および２を参照すると、本包装ユニットは、概して、１０と指定され、そして、シリンジ１２を収容するように設計されており、該シリンジ１２は、バレル１４を有し、該バレルは、一方の端部においてプランジャ１６を摺動可能に受容するように構成され、かつ、対向する針端部１８を有する。例示的シリンジ１２は、限定ではないが、自動注入器および事前充填された使い捨てシリンジを含む。典型的には、シリンジ１２は、バレル内に貯蔵される医薬流体または物質を視認するために、バレル１４上に点検窓２０を有する。
【００１４】
本包装ユニット１０の重要な側面は、包装ユニットの筐体２２が、シリンジ１２を受容するように構成されるチャンバ２４を画定し、チャンバ内に３つの特定の空洞エリアを含むことである。具体的には、第１の空洞２６は、シリンジプランジャ１６を受容するように構成され、プランジャの中間部分３２に係合することなく、プランジャのヘッド部分３０に直接係合するための側壁２８ａ、２８ｂの第１のセットを有する。プランジャ１６のヘッド部分３０のみが、側壁２８ａ、２８ｂによって係合されるため、プランジャは、第１の空洞２６内でバレル１４に対して選択的に変位可能である。本構成では、バレル１４内に貯蔵される医薬物質の量は、所望に応じて容易に調節される。
【００１５】
好ましい実施形態では、第１の空洞２６は、シリンジバレル１４に対するシリンジプランジャ１６に関する複数の変位位置を収容するように構成される。例えば、シリンジ１２が最大量の医薬物質を保持するとき、プランジャ１６のヘッド部分３０は、最大延在可能位置ＰＭＡＸに配置される。しかしながら、シリンジ１２が最小量の医薬物質を保持するとき、プランジャ１６のヘッド部分３０は、最小延在可能位置ＰＭＩＮに配置される。その結果、ヘッド部分３０は、プランジャ１６の往復作用に適応するために、包装ユニット１０の第１の空洞２６内に選択的に位置付けられる。同一の包装ユニット１０が、異なる量の医薬物質を伴う種々の医療療法を促進するシリンジ１２を貯蔵するために使用されることが有利である。
【００１６】
本包装ユニット１０が、シリンジバレル１４を受容するように構成される第２の空洞３４を有し、第２の空洞は、バレル１４のフランジ部分４２の上面４０に直接かつ相補的に係合するために、筐体２２の周辺縁３８から延在する湾曲した、またはわずかに弓形の上側もしくは支持壁３６ａ、３６ｂのセットを含むことが、想定される。さらに、第３の空洞４４が、シリンジ１２の針端部１８を受容するために筐体２２内に提供され、第３の空洞は、針端部１８を封入するように構成されるシリンジ１２のカバーまたはプロテクタ４８に直接係合するための側壁４６ａ、４６ｂの第２のセットを含む。図１および２に示されるように、第２の空洞３４は、一方の端部において第１の空洞２６と流体連通し、かつ、対向する端部において第３の空洞４４と流体連通し、それによって、筐体２２のチャンバ２４を画定する。
【００１７】
筐体２２の周辺縁３８に沿って、折返しフランジ３９が、事前判定された幅において筐体２２の外周のまわりに提供され、したがって、保護プラスチックカバーまたはフィルム（図示せず）が、接着剤または他の接着材料を使用して、筐体のチャンバ２４を封入するために折返しフランジに可撤式に取り付けられる。フランジ３９の少なくとも１つの角が、チャンバ２４を封入するプラスチックフィルムへの容易なアクセスのための開放タブ４１を形成することが、好ましい。また、フランジ３９が、フィルムとフランジとの間のシール面を容易に破壊するために、複数の凹凸スロットまたはテクスチャ４３を含むことが、想定される。フランジ３９上に対角線形成物を有するスロット４３が示されているが、湾曲した、またはコイル状の溝もしくは突出部等の他の好適な構成もまた、用途に適合するように想定される。
【００１８】
ここで図１、４、６、および７を参照すると、本包装ユニット１０の別の特徴は、第１の空洞２６内の側壁２８ａ、２８ｂの第１のセットの高さＨ１（図４）が、筐体２２のチャンバ２４の高さＨ２（図４）よりも短いことである。さらに、第１の空洞２６内の側壁２８ａ、２８ｂの第１のセットの高さＨ１（図４）は、第３の空洞４４の側壁４６ａ、４６ｂの第２のセットの高さＨ３（図６）よりも短い。本構成では、脆弱な針端部１８を保護するカバー４８は、チャンバ２４によって完全かつ確実に封入および保持される。また、図４および６は、高さＨ１が高さＨ３よりも短いことを示しているが、両方の高さＨ１、Ｈ３が、同一の高さを有し得ることが、想定される。側壁２８ａ、２８ｂ、４６ａ、４６ｂの他の種々の高さ配列も、異なる用途に適合するように想定される。
【００１９】
さらに、図１および７に図示されるように、第３の空洞４４内に側壁４６ａ、４６ｂの第２のセットを含む囲繞する側壁５０は、水平シリンジ移動を防止するために、シリンジ１２のカバー４８を堅く、完全に封入する。第１、第２、および第３の空洞２６、３４、４４のそれぞれの上側周辺縁５２が、筐体２２のチャンバ２４の中へのシリンジ１２の容易な挿入を促進するために、丸形または湾曲した角を有することが、好ましい。
【００２０】
ここで図１および２に再び目を向けると、第１の足部５４ａ、５４ｂの対が、第１の空洞２６内の側壁２８ａ、２８ｂの第１のセットのうちの対応するものに隣接して配置される。第２の足部５６ａ、５６ｂの対が、第２の空洞３４内に配置され、第３の足部５８ａ、５８ｂの対が、第３の空洞４４内の第２の側壁４６ａ、４６ｂのうちの対応するものに隣接して配置される。四角形形状の足部が、例証を目的として示されているが、円筒形および円錐形構造等の他の幾何学的形状もまた、想定される。また、対応する足部５４ａおよび５４ｂ、５６ａおよび５６ｂ、５８ａおよび５８ｂの各対が、用途に適合するように１つの足部として一体的に形成され得ることが、想定される。
【００２１】
好ましい実施形態では、第２の空洞３４の容積は、第１の空洞２６および第３の空洞４４のそれぞれのものよりも大きい。さらに、第２の空洞３４の軸方向長さＬ２は、筐体２２の縦方向軸Ｌに対して、第１の空洞２６の軸方向長さＬ１および第３の空洞４４の軸方向長さＬ３よりも長い。また、筐体２２の縦方向軸Ｌを横断する第２の空洞３４の中間長さＬ２ＭＥＤＩＡＬが、第１の空洞２６の中間長さＬ１ＭＥＤＩＡＬおよび第３の空洞４４の中間長さＬ３ＭＥＤＩＡＬと比較して最も長いことが、想定される。また、図２に図示されるように、第２の空洞３４は、筐体２２からの除去のためのシリンジ１２の適切な把持方法をユーザに通知するために設計される、グラフィカルインジケータ６０を有する。矢印が好ましいインジケータ６０として示されているが、他の形状も、想定される。また、リサイクル標識および他の識別子等の他の好適なインジケータも、用途に適合するように想定される。
【００２２】
ここで図１、２、および５を参照すると、第２の空洞３４は、シリンジ１２の外面に直接係合し、筐体２２とシリンジとの間に摩擦嵌合を提供するための少なくとも１つの突出部６２（図５）を有する。好ましい実施形態では、突出部６２は、半球形形状を有し、筐体２２の側壁６４から第２の空洞３４の中に突出する。三角形、円錐形、および台形形状等、突出部６２の他の好適な形状も、異なる用途に応じて、想定される。
【００２３】
別の摩擦嵌合が、第３の空洞４４内に同様に提供される。具体的には、第３の空洞４４の幅は、筐体２２とシリンジ１２との間に摩擦嵌合を提供するために、針端部１８のカバー４８の幅よりもわずかに狭い。したがって、第３の空洞４４は、シリンジ１２の針端部１８および針端部のカバー４８を堅く受容するように構成される。
【００２４】
本包装ユニット１０の別の重要な構成は、第２および第３の空洞３４、４４が、筐体２２の縦方向軸Ｌに対して少なくとも２つの異なる幅を有することである。具体的には、第２の空洞３４の第１または上側幅Ｗ１は、第２の空洞の第２または下側幅Ｗ２よりも短く、第１および第２の幅の両方は、筐体２２の縦方向軸Ｌを横断する。第１の幅Ｗ１は、シリンジ１２のフランジ部分４２の上方の筐体２２の側壁６４間の距離であり、第２の幅Ｗ２は、フランジ部分に対する針端部１８に向かう筐体の側壁間の距離である。
【００２５】
同様に、第３の空洞４４の第３またはバレル幅Ｗ３は、第３の空洞の第４または針カバー幅Ｗ４よりも長く、第３および第４の幅の両方は、筐体２２の縦方向軸Ｌを横断する。第３の幅Ｗ３は、バレル１４の下端に隣接する筐体２２の側壁６４間の距離であり、第４の幅Ｗ４は、カバー４８に隣接する筐体の側壁間の距離である。
【００２６】
ここで図１および３を参照すると、筐体２２の底面６６は、シリンジ１２の輪郭に追従するように構成される外形を有する。より具体的には、筐体２２の底面６６は、プランジャ１６のヘッド部分３０およびバレル１４のフランジ部分４２の輪郭に追従する第１の外形を有する。さらに、筐体２２の底面６６は、シリンジ１２の針端部１８および針端部のカバー４８の輪郭に追従する第２の外形を有する。シリンジがチャンバ２４の中に挿入されると、把持空間６８が、シリンジ１２のバレル１４の下方の第２の空洞３４内に提供される。
【００２７】
本包装ユニットの特定の実施形態が本明細書に説明されたが、変更および修正が、そのより広い側面において、かつ以下の請求項に記載されるように、本開示から逸脱することなく、本明細書に成され得ることが、当業者によって理解されるであろう。
【図１】
2018531732.tif 000003
【図２】
2018531732.tif 000004
【図３】
2018531732.tif 000005
【図４】
2018531732.tif 000006
【図５】
2018531732.tif 000007
【図６】
2018531732.tif 000008
【図７】
2018531732.tif 000009
【国際調査報告】
2018531732.tif 000010
2018531732.tif 000011